(57)【要約】【課題】  移動機の複雑化・高消費電力化を防ぎ、移動機の小型化・経済化を実現可能な移動通信システムを提供する。【解決手段】  基地局制御装置は移動機の位置検出技術を利用して移動機の位置検出を行い（ａ１）、移動機の位置が非ソフトハンドオーバエリアか、ソフトハンドオーバエリアかを判定する（ａ２）。基地局制御装置はその判定結果に基づいて、ソフトハンドオーバを行うアクティブセットの更新を行う（ａ３）。基地局制御装置はアクティブセットの更新結果を基地局及び移動機に通知し（ａ４，ａ５）、基地局及び移動機は実際にブランチの追加・削除を行う（ａ６，ａ７）。【選択図】      図２
2007027909.tif 000002
【特許請求の範囲】
【請求項１】
移動機のソフトハンドオーバの際に、そのソフトハンドオーバ中に同一移動機に無線リンクが接続された基地局のグループを示すアクティブセットの更新を基地局制御装置で行う移動通信システムであって、
前記基地局制御装置は、前記移動機の位置検出情報を利用して当該移動機の在圏セルにおける位置を特定する手段と、その特定した在圏セルの情報を基に前記アクティブセットの更新を行う手段とを有することを特徴とする移動通信システム。
【請求項２】
前記基地局制御装置は、前記移動機が前記在圏セルの境界に位置する時に前記アクティブセットの更新を行うことを特徴とする請求項１記載の移動通信システム。
【請求項３】
前記基地局制御装置は、少なくともＣｅｌｌ−ＩＤ方式、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）方式、Ａ−ＧＰＳ（Ａｓｓｉｓｔｅｄ−Ｇｌｏｂａｌ  Ｐｏｓｉｔｉｏｎｉｎｇ  Ｓｙｓｔｅｍｓ）方式のいずれかにて前記移動機の位置を検出することを特徴とする請求項１または請求項２記載の移動通信システム。
【請求項４】
移動機のソフトハンドオーバの際に、そのソフトハンドオーバ中に同一移動機に無線リンクが接続された基地局のグループを示すアクティブセットの更新を行う基地局制御装置であって、
前記移動機の位置検出情報を利用して当該移動機の在圏セルにおける位置を特定する手段と、その特定した在圏セルの情報を基に前記アクティブセットの更新を行う手段とを有することを特徴とする基地局制御装置。
【請求項５】
前記移動機が前記在圏セルの境界に位置する時に前記アクティブセットの更新を行うことを特徴とする請求項４記載の基地局制御装置。
【請求項６】
少なくともＣｅｌｌ−ＩＤ方式、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）方式、Ａ−ＧＰＳ（Ａｓｓｉｓｔｅｄ−Ｇｌｏｂａｌ  Ｐｏｓｉｔｉｏｎｉｎｇ  Ｓｙｓｔｅｍｓ）方式のいずれかにて前記移動機の位置を検出することを特徴とする請求項４または請求項５記載の基地局制御装置。
【請求項７】
移動機のソフトハンドオーバの際に、そのソフトハンドオーバ中に同一移動機に無線リンクが接続された基地局のグループを示すアクティブセットの更新を基地局制御装置で行う移動通信システムに用いるソフトハンドオーバ方法であって、前記基地局制御装置が、前記移動機の位置検出情報を利用して当該移動機の在圏セルにおける位置を特定する処理と、その特定した在圏セルの情報を基に前記アクティブセットの更新を行う処理とを実行することを特徴とするソフトハンドオーバ方法。
【請求項８】
前記基地局制御装置が、前記移動機が前記在圏セルの境界に位置する時に前記アクティブセットの更新を行うことを特徴とする請求項７記載のソフトハンドオーバ方法。
【請求項９】
前記基地局制御装置が、少なくともＣｅｌｌ−ＩＤ方式、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）方式、Ａ−ＧＰＳ（Ａｓｓｉｓｔｅｄ−Ｇｌｏｂａｌ  Ｐｏｓｉｔｉｏｎｉｎｇ  Ｓｙｓｔｅｍｓ）方式のいずれかにて前記移動機の位置を検出することを特徴とする請求項７または請求項８記載のソフトハンドオーバ方法。
【請求項１０】
移動機のソフトハンドオーバの際に、そのソフトハンドオーバ中に同一移動機に無線リンクが接続された基地局のグループを示すアクティブセットの更新を基地局制御装置で行う移動通信システムに用いるソフトハンドオーバ方法のプログラムであって、前記基地局制御装置のコンピュータに、前記移動機の位置検出情報を利用して当該移動機の在圏セルにおける位置を特定する処理と、その特定した在圏セルの情報を基に前記アクティブセットの更新を行う処理とを実行させるためのプログラム。
【発明の詳細な説明】
【技術分野】
【０００１】
本発明は移動通信システム、基地局制御装置及びそれらに用いるソフトハンドオーバ方法並びにそのプログラムに関し、特にＣＤＭＡ（Ｃｏｄｅ  Ｄｉｖｉｓｉｏｎ  Ｍｕｌｔｉｐｌｅ  Ａｃｃｅｓｓ）方式の移動通信システムにおける移動機に関する。
【背景技術】
【０００２】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式は次世代移動体通信（ＩＭＴ−２０００）の無線アクセス方式であり、すでに日本を初めとした世界で第三世代携帯電話として商用サービスが開始されている。
【０００３】
一般的に、ＣＤＭＡでは、移動機［以下、ＵＥ（Ｕｓｅｒ  Ｅｑｕｉｐｍｅｎｔ）とする］が同時に複数の基地局（Ｎｏｄｅ  Ｂ）と無線リンクを接続して通信を行うことができる。これをソフトハンドオーバ［以下、ＳＨＯ（Ｓｏｆｔ  Ｈａｎｄ  Ｏｖｅｒ）とする］と呼び、これによって受信品質の向上及び無瞬断通信を実現することができる。
【０００４】
ＳＨＯ状態において、ＵＥは個別チャネル［以下、ＤＰＣＨ（Ｄｅｄｉｃａｔｅｄ  Ｐｈｙｓｉｃａｌ  Ｃｈａｎｎｅｌ）とする］を接続しているセルの下り電力が一定である共通パイロット信号［以下、ＣＰＩＣＨ（Ｃｏｍｍｏｎ  Ｐｉｌｏｔ  Ｃｈａｎｎｅｌ）とする］の受信電力と周辺セルのＣＰＩＣＨの受信電力との差が予め決められたしきい値以内に入った複数のセルと同時に接続することができる。
【０００５】
ＣＤＭＡにおいては、従来のＰＤＣ（Ｐｅｒｓｏｎａｌ  Ｄｉｇｉｔａｌ  Ｃｅｌｌｕｌａｒ  Ｔｅｌｅｃｏｍｍｕｎｉｃａｔｉｏｎ  Ｓｙｓｔｅｍ）方式に比べて、より広帯域のデータ伝送であることから、高精度の位置検出技術（測位技術／ＵＥ  Ｐｏｓｉｔｉｏｎｉｎｇ）が期待されている。現在、３ＧＰＰ（３ｒｄ  Ｇｅｎｅｒａｔｉｏｎ  Ｐａｒｔｎｅｒｓｈｉｐ  Ｐｒｏｊｅｃｔｓ）で議論されている方式には、Ｃｅｌｌ−ＩＤ方式、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）方式、Ａ−ＧＰＳ（Ａｓｓｉｓｔｅｄ−Ｇｌｏｂａｌ  Ｐｏｓｉｔｉｏｎｉｎｇ  Ｓｙｓｔｅｍｓ）方式等がある（例えば、非特許文献１参照）。
【０００６】
従来のＳＨＯの手順を図４に示す。ＵＥは各セルの電力一定であるＣＰＩＣＨの受信電力が大きい（最もパスロスが少ない）セルに接続する。ＵＥはＳＨＯを実行するために周辺セルからのＣＰＩＣＨの受信品質を測定する（図４のｂ１参照）。
【０００７】
ＵＥは受信品質情報をレイヤ３のＲＲＣ（Ｒａｄｉｏ  Ｒｅｓｏｕｒｃｅ  Ｃｏｎｔｒｏｌ）のＭｅａｓｕｒｅｍｅｎｔ  ｒｅｐｏｒｔによって、ＲＮＣ（Ｒａｄｉｏ  Ｎｅｔｗｏｒｋ  Ｃｏｎｔｒｏｌｌｅｒ）へ報告する（図４のｂ２〜ｂ５参照）。
【０００８】
そのアルゴリズムとしては、例えば、（１Ａ）アクティブセット（Ａｃｔｉｖｅ  ｓｅｔ）内のＣＰＩＣＨの受信レベルが予め指定された範囲内にあれば、ＲＮＣに通知する（ブランチ追加）、（１Ｂ）アクティブセット内のＣＰＩＣＨの受信レベルが予め指定された範囲内から外れたら、ＲＮＣへ報告する（ブランチ削除）、（１Ｃ）アクティブセットに含まれないＣＰＩＣＨ＃４の受信レベルがアクティブセットに含まれるＣＰＩＣＨ＃２，ＣＰＩＣＨ＃３より大きくなった場合に、ＲＮＣへ報告する（ブランチ入替え）というような方式がある。尚、ＳＨＯ中に同一ＵＥに無線リンクが接続された基地局のグループをアクティブセットと呼ぶ。
【０００９】
ＲＮＣはＵＥからの受信品質の報告結果に基づいて、ＳＨＯを行うアクティブセットの更新を行う（図４のｂ６参照）。ＲＮＣはその更新結果を基地局及びＵＥに通知し（図４のｂ７，ｂ８参照）、基地局及びＵＥは実際にブランチの追加・削除を行う（図４のｂ９，ｂ１０参照）。
【００１０】
【非特許文献１】“Ｓｔａｇｅ  ２  ｆｕｎｃｔｉｏｎａｌ  ｓｐｅｃｉｆｉｃａｔｉｏｎ  ｏｆ  Ｕｓｅｒ  Ｅｑｕｉｐｍｅｎｔ（ＵＥ）  ｐｏｓｉｔｉｏｎｉｎｇ  ｉｎ  ＵＴＲＡＮ．４  Ｍａｉｎ  ｃｏｎｃｅｐｔｓ  ａｎｄ  ｒｅｑｕｉｒｅｍｅｎｔｓ”［３ＧＰＰ  ＴＳ  ２５．３０５  Ｖ６．１．０（２００４−０６）］
【発明の開示】
【発明が解決しようとする課題】
【００１１】
しかしながら、上述した従来のＳＨＯ方法では、ＵＥが常に周辺セルのＣＰＩＣＨを定期的に受信する必要があり、ＵＥの複雑化・高消費電力化を招くという問題がある。また、従来のＳＨＯ方法では、ＲＮＣが全ＵＥの複数アルゴリズムに基づいた報告を元にしたブランチの管理を行う必要があり、ＲＮＣの処理能力に大きな影響を与えるという問題がある。さらに、従来のＳＨＯ方法では、アクティブセット更新の度に、Ｍｅａｓｕｒｅｍｅｎｔ  Ｒｅｐｏｒｔが無線区間及び基地局／ＲＮＣ間伝送路（Ｉｕｂ）に送出され、無線区間及び有線伝送路の帯域を圧迫するという問題がある。
【００１２】
そこで、本発明の目的は上記の問題点を解消し、移動機の複雑化・高消費電力化を防ぐことができ、移動機の小型化・経済化を実現することができる移動通信システム、基地局制御装置及びそれらに用いるソフトハンドオーバ方法並びにそのプログラムを提供することにある。
【課題を解決するための手段】
【００１３】
本発明による移動通信システムは、移動機のソフトハンドオーバの際に、そのソフトハンドオーバ中に同一移動機に無線リンクが接続された基地局のグループを示すアクティブセットの更新を基地局制御装置で行う移動通信システムであって、
前記基地局制御装置は、前記移動機の位置検出情報を利用して当該移動機の在圏セルにおける位置を特定する手段と、その特定した在圏セルの情報を基に前記アクティブセットの更新を行う手段とを備えている。
【００１４】
本発明による基地局制御装置は、移動機のソフトハンドオーバの際に、そのソフトハンドオーバ中に同一移動機に無線リンクが接続された基地局のグループを示すアクティブセットの更新を行う基地局制御装置であって、
前記移動機の位置検出情報を利用して当該移動機の在圏セルにおける位置を特定する手段と、その特定した在圏セルの情報を基に前記アクティブセットの更新を行う手段とを備えている。
【００１５】
本発明によるソフトハンドオーバ方法は、移動機のソフトハンドオーバの際に、そのソフトハンドオーバ中に同一移動機に無線リンクが接続された基地局のグループを示すアクティブセットの更新を基地局制御装置で行う移動通信システムに用いるソフトハンドオーバ方法であって、前記基地局制御装置が、前記移動機の位置検出情報を利用して当該移動機の在圏セルにおける位置を特定する処理と、その特定した在圏セルの情報を基に前記アクティブセットの更新を行う処理とを実行している。
【００１６】
本発明によるソフトハンドオーバ方法のプログラムは、移動機のソフトハンドオーバの際に、そのソフトハンドオーバ中に同一移動機に無線リンクが接続された基地局のグループを示すアクティブセットの更新を基地局制御装置で行う移動通信システムに用いるソフトハンドオーバ方法のプログラムであって、前記基地局制御装置のコンピュータに、前記移動機の位置検出情報を利用して当該移動機の在圏セルにおける位置を特定する処理と、その特定した在圏セルの情報を基に前記アクティブセットの更新を行う処理とを実行させている。
【００１７】
すなわち、本発明の移動通信システムは、移動機のソフトハンドオーバ（ＳＨＯ：Ｓｏｆｔ  Ｈａｎｄ  Ｏｖｅｒ）において、ソフトハンドオーバの際のアクティブセット（Ａｃｔｉｖｅ  Ｓｅｔ）の更新において、移動機の位置検出情報を用いて移動機の処理を簡素化したことを特徴としている。ここで、アクティブセットとは、ソフトハンドオーバ中に同一移動機に無線リンクが接続された基地局のグループを指している。
【００１８】
より具体的に説明すると、本発明の移動通信システムでは、基地局制御装置（ＲＮＣ：Ｒａｄｉｏ  Ｎｅｔｗｏｒｋ  Ｃｏｎｔｒｏｌｌｅｒ）が移動機（ＵＥ：Ｕｓｅｒ  Ｅｑｕｉｐｍｅｎｔ）の位置検出情報を利用して移動機の在圏セルを特定してから移動機のソフトハンドオーバを行うので、移動機の処理を簡素化することが可能になる。
【００１９】
本発明の移動通信システムでは、移動機の位置検出技術を利用して移動機の位置を特定し、在圏セルの中央にいるのか、在圏セルの境界［すなわち、複数の基地局（Ｎｏｄｅ  Ｂ）からの等距離・中間位置にいるか］にいるのかを判定してからソフトハンドオーバを行うことによって、移動機の（１）隣接セルからのＣＰＩＣＨ（Ｃｏｍｍｏｎ  Ｐｉｌｏｔ  Ｃｈａｎｎｅｌ）の受信電力を測定する処理、（２）測定値が閾値内か範囲外かの判定処理、（３）判定の結果、必要である時の基地局制御装置へのＭｅａｓｕｒｅｍｅｎｔ  Ｒｅｐｏｒｔの送出処理という各処理を省略することが可能となる。
【００２０】
これによって、本発明の移動通信システムでは、移動機が常に周辺セルのＣＰＩＣＨを定期的に受信する必要がなくなり、移動機の複雑化・高消費電力化を防ぐことが可能となり、移動機の小型化・経済化が実現可能となる。
【００２１】
また、本発明の移動通信システムでは、基地局制御装置の複数のアルゴリズム［上記の（１Ａ），（１Ｂ），（１Ｃ），・・・］に基づいた複雑な移動機のブランチ管理が移動機の位置に基づいた単純な処理で可能となり、基地局制御装置の処理能力の低減が実現可能となる。
【００２２】
さらに、本発明の移動通信システムでは、アクティブセット更新の度にＭｅａｓｕｒｅｍｅｎｔ  Ｒｅｐｏｒｔを無線区間及び基地局／基地局制御装置間の伝送路（Ｉｕｂ）に送出する必要がなくなり、無線区間及び有線伝送路の有効活用が実現可能となる。
【発明の効果】
【００２３】
本発明は、以下に述べるような構成及び動作とすることで、移動機の複雑化・高消費電力化を防ぐことができ、移動機の小型化・経済化を実現することができるという効果が得られる。
【発明を実施するための最良の形態】
【００２４】
次に、本発明の実施例について図面を参照して説明する。図１は本発明の一実施例による移動通信システムの構成を示すブロック図である。図１において、本発明の一実施例による移動通信システムは基地局制御装置（ＲＮＣ：Ｒａｄｉｏ  Ｎｅｔｗｏｒｋ  Ｃｏｎｔｒｏｌｌｅｒ）１と、基地局（Ｎｏｄｅ  Ｂ）２−１，２−２と、移動機（ＵＥ：Ｕｓｅｒ  Ｅｑｕｉｐｍｅｎｔ）３−１〜３−３とから構成されている。
【００２５】
図２は図１の基地局制御装置１の構成例を示すブロック図である。図２において、基地局制御装置１はＣＰＵ（中央処理装置）１１と、ＣＰＵ１１が実行する制御プログラム１２ａを格納するメインメモリ１２と、ＣＰＵ１１が制御プログラム１２ａを実行する際に作業領域として使用する記憶装置１３と、各基地局２−１，２−２との通信を制御する通信制御部１４とから構成され、ＣＰＵ１１とメインメモリ１２と記憶装置１３と通信制御部１４とにおいては内部バス１１０にて相互に接続されている。
【００２６】
記憶装置１３は移動機３−１〜３−３の位置検出技術（例えば、上記の非特許文献１に記載の位置検出技術）を利用して検出した移動機３−１〜３−３の位置検出情報を保持する移動機位置検出情報保持領域１３１と、ソフトハンドオーバ中に同一移動機３−２に無線リンクが接続された基地局２−１，２−２のグループを示すアクティブセット（Ａｃｔｉｖｅ  ｓｅｔ）の情報を保持するアクティブセット情報保持領域１３２とを備えている。
【００２７】
図３は本発明の一実施例によるソフトハンドオーバ（ＳＨＯ：Ｓｏｆｔ  Ｈａｎｄ  Ｏｖｅｒ）の手順を示すシーケンスチャートである。これら図１〜図３を参照して本発明の一実施例によるソフトハンドオーバの手順について説明する。尚、図３において、基地局制御装置１の動作はＣＰＵ１１が制御プログラムを実行することで実現される。
【００２８】
基地局制御装置１は移動機の位置検出技術を利用して移動機３−１〜３−３の位置検出を行い（図３のａ１参照）、移動機３−１〜３−３の位置が非ソフトハンドオーバエリア（セルＡ，Ｂの中央）（例えば、移動機３−１，３−３の位置）か、ソフトハンドオーバエリア（セルＡ，Ｂの境界）（例えば、移動機３−２の位置）かを判定する（図３のａ２参照）。基地局制御装置１は上記の判定結果に基づいて、ソフトハンドオーバを行う際のアクティブセット（Ａｃｔｉｖｅ  ｓｅｔ）の更新を行う（図３のａ３参照）。
【００２９】
基地局制御装置１はアクティブセットの更新結果を基地局２−１，２−２及び移動機３−２に通知し（図３のａ４，ａ５参照）、基地局２−１，２−２及び移動機３−２は実際にブランチの追加・削除を行う（図３のａ６，ａ７参照）。
【００３０】
このように、本実施例では、移動機３−１〜３−３が常に周辺セルＡ，ＢのＣＰＩＣＨを定期的に受信する必要がなくなり、移動機３−１〜３−３の複雑化・高消費電力化を防ぐことができ、移動機３−１〜３−３の小型化・経済化を実現することができる。
【００３１】
また、本実施例では、基地局制御装置１の複数のアルゴリズム（１Ａ），（１Ｂ），（１Ｃ），・・・に基づいた複雑な移動機３−１〜３−３のブランチ管理を、移動機３−１〜３−３の位置に基づいた単純な処理で行うことができるので、基地局制御装置１の処理能力を低減させることができる。
【００３２】
さらに、本実施例では、アクティブセットの更新の度にＭｅａｓｕｒｅｍｅｎｔ  Ｒｅｐｏｒｔを無線区間及び基地局／基地局制御装置間の伝送路（Ｉｕｂ）に送出する必要がなくなり、無線区間及び有線伝送路の有効活用を図ることができる。
【図面の簡単な説明】
【００３３】
【図１】本発明の一実施例による移動通信システムの構成を示すブロック図である。
【図２】図１の基地局制御装置の構成例を示すブロック図である。
【図３】本発明の一実施例によるソフトハンドオーバの手順を示すシーケンスチャートである。
【図４】従来例によるソフトハンドオーバの手順を示すシーケンスチャートである。
【符号の説明】
【００３４】
１  基地局制御装置
２−１，２−２  基地局
３−１〜３−３  移動機
１１  ＣＰＵ
１２  メインメモリ
１２ａ  制御プログラム
１３  記憶装置
１４  通信制御部
１１０  内部バス
１３１  移動機位置検出情報保持領域
１３２  アクティブセット情報保持領域
Ａ，Ｂ  セル
【図１】
2007027909.tif 000003
【図２】
2007027909.tif 000004
【図３】
2007027909.tif 000005
【図４】
2007027909.tif 000006